(57)【要約】【課題】  光源用の発光デバイスの部品点数を削減して低コスト化と省電力化を実現する。【解決手段】  携帯電話端末は、第１の筐体１の一端部近傍と第２の筐体２の一端部近傍に配され且つ第１，第２の筐体１，２の主面に対して略々垂直となされた回転軸を有するヒンジ機構により、それら第１，第２の筐体１，２が連結され、その回転軸により第１，第２の筐体１，２がそれぞれの主面に対して相互に水平方向に回動自在となされている。また、第１の筐体１は、ヒンジ機構近傍の端部側面にライト部６を備えており、当該携帯電話端末が開状態となされたとき、そのライト部６により第２の筐体２のキー操作部５上を照明する。【選択図】  図１
2006005410.tif 000002
【特許請求の範囲】
【請求項１】
連結部により連結された第１，第２の少なくとも二つの筐体を有し、
上記第１の筐体は、少なくとも所定方向に光を出射可能なライト部を所定位置に備え、上記ライト部から出射した光を上記第２の筐体上の所定の面上に照射する
ことを特徴とする電子装置。
【請求項２】
請求項１記載の電子装置であって、
上記第２の筐体は、上記第１の筐体のライト部からの光が照射される上記所定の面上に、複数の操作子を備えてなることを特徴とする電子装置。
【請求項３】
請求項１記載の電子装置であって、
上記連結部は、上記第１の筐体と第２の筐体間の相対的な位置関係を変更可能な相対位置変更機構を備え、
上記連結部の相対位置変更機構により、上記第１の筐体と第２の筐体の相対的な位置関係が少なくとも所定の位置関係となったことを検知する検知手段と、
上記第１の筐体と第２の筐体の相対的な位置関係が所定の位置関係になったことを上記検知手段が検知したとき、上記第１の筐体の上記ライト部を点灯させる点灯制御手段とを有することを特徴とする電子装置。
【請求項４】
請求項３記載の電子装置であって、
使用者から、少なくともライト部を点灯させる旨の指示を受け付け可能な指示入力手段を有し、
上記点灯制御手段は、上記第１の筐体と第２の筐体の相対的な位置関係が上記所定の位置関係になっていることを上記検知手段が検知していない場合には、上記使用者から上記指示入力手段を介して上記ライト部を点灯させる旨の指示が入力されたときに上記第１の筐体の上記ライト部を点灯させる制御を行うことを特徴とする電子装置。
【請求項５】
第１の筐体と、
第２の筐体と、
上記第１の筐体の一端部近傍と第２の筐体の一端部近傍に配され且つ第１，第２の筐体の各主面に対して略々垂直となされた回転軸により上記第１，第２の筐体を連結すると共に、上記回転軸により第１，第２の筐体をそれぞれの主面に対して相互に水平方向に回動自在とするヒンジ機構とを有し、
上記第１の筐体は、少なくとも所定方向に光を出射可能なライト部を上記一端部側面に備え、当該ライト部から出射した光を上記第２の筐体の主面上に照射する
ことを特徴とする携帯端末。
【請求項６】
請求項５記載の携帯端末であって、
上記第２の筐体は、上記第１の筐体のライト部からの光が照射される上記所定の面上に、複数のキー操作子を備えてなることを特徴とする携帯端末。
【請求項７】
請求項５記載の携帯端末であって、
上記ヒンジ機構の回転軸により、上記第１，第２の筐体をそれぞれの主面に対して相互に水平方向に回動させることで、上記第１の筐体と第２の筐体の相対的な位置関係が少なくとも所定の位置関係となったことを検知する検知手段と、
上記第１の筐体と第２の筐体の相対的な位置関係が上記所定の位置関係になったことを上記検知手段が検知したとき、上記第１の筐体の上記ライト部を点灯させる点灯制御手段とを有することを特徴とする携帯端末。
【請求項８】
請求項７記載の携帯端末であって、
使用者から、少なくともライト部を点灯させる旨の指示を受け付け可能な指示入力手段を有し、
上記点灯制御手段は、上記第１の筐体と第２の筐体の相対的な位置関係が上記所定の位置関係になっていることを上記検知手段が検知していない場合には、上記使用者から上記指示入力手段を介して上記ライト部を点灯させる旨の指示が入力されたときに上記第１の筐体の上記ライト部を点灯させる制御を行うことを特徴とする携帯端末。
【発明の詳細な説明】
【技術分野】
【０００１】
本発明は、例えば携帯電話端末のテンキー部分等のような所定部位を照明することが可能な光源を備えた電子装置及び携帯端末に関する。
【背景技術】
【０００２】
従来より、携帯型の電子装置の一例である携帯電話端末には、着信報知用等の光源や、カメラ部の撮影照明光用の光源、発信キーや終了／電源キー等を照明するための光源、「０」〜「９」，「＊」，「＃」の各キー（いわゆる１２キー）からなる操作部を照明するための光源等の複数の光源が設けられている。特に、当該携帯電話端末は周囲が暗い状況でも使用される場合があるため、上記操作部の照明用光源は、不可欠となされている。
【０００３】
ここで、上記操作部の照明用光源は、各キー毎若しくは２〜３個のキー毎に設けられ、また、例えば半透明部材からなる各キーを筐体内部側から照明するようになされており、着信報知用等の光源やカメラ部の撮影照明光用の光源とは別個の光源として用意されている。一方、着信報知用等の光源とカメラ部の撮影照明光用の光源は、一つの光源を共用したものとされていることが多い。
【０００４】
なお、特開２００２−３２５１２１の公開特許公報（特許文献１）には、電球が携帯電話機のバッテリに接続され、携帯電話機の前側方向に伸縮自在の移動バーの先端に当該電球を配することで、その電球により携帯電話機の前側を照明可能とした懐中電灯兼用の携帯電話機が開示されている。
【０００５】
【特許文献１】特開２００２−３２５１２１公報（第５図）
【発明の開示】
【発明が解決しようとする課題】
【０００６】
ところで、上述したような携帯電話端末等の携帯型の電子装置に対しては、より一層の低コスト化、小電力化が望まれており、また、他社の装置との差別化も望まれている。しかしながら、特に、上記操作部の照明用光源は、各キー毎若しくは２〜３個のキー毎に設けられており、多くの発光デバイスが必要となされているため、低コスト化と省電力化の妨げとなっている。
【０００７】
本発明は、このような課題に鑑みてなされたものであり、特に光源用の発光デバイスの部品点数を削減して低コスト化と省電力化を実現可能とする電子装置及び携帯端末を提供することを目的とする。
【課題を解決するための手段】
【０００８】
本発明の電子装置は、連結部により連結された第１，第２の少なくとも二つの筐体を有し、第１の筐体は、少なくとも所定方向に光を出射可能なライト部を所定位置に備え、ライト部から出射した光を第２の筐体上の所定の面上に照射することにより、上述した課題を解決する。
【０００９】
また、本発明の携帯端末は、第１，第２の筐体と、第１の筐体の一端部近傍と第２の筐体の一端部近傍に配され且つそれら各筐体の主面に対して略々垂直となされた回転軸によりそれら筐体を連結すると共に、回転軸によりそれら筐体をそれぞれの主面に対して相互に水平方向に回動自在とするヒンジ機構とを有し、第１の筐体は、少なくとも所定方向に光を出射可能なライト部を一端部側面に備え、当該ライト部から出射した光を第２の筐体の主面上に照射することにより、上述した課題を解決する。
【００１０】
すなわち、本発明によれば、第１の筐体に設けられたライト部により、第２の筐体の主面上を照明する構成を備えているため、第２の筐体の主面上を内部から照明するための光源が不要となる。
【発明の効果】
【００１１】
本発明においては、第１の筐体のライト部により、第２の筐体の主面上を照明することにより、特に、第２の筐体の主面部上に設けられた各構成要素を照明するための光源用発光デバイスを不要とし、その結果、発光デバイスの総部品点数を削減でき、且つ、低コスト化と省電力化も同時に実現可能となっている。
【発明を実施するための最良の形態】
【００１２】
以下、図面を参照しながら、本発明の電子装置及び携帯端末の一実施形態について説明する。なお、本実施形態では、本発明の電子装置及び携帯端末の一例として、携帯電話端末を挙げているが、勿論、ここで説明する内容はあくまで一例であり、本発明はこの例に限定されないことは言うまでもない。
【００１３】
〔携帯電話端末の外観構成〕
本発明実施形態の携帯電話端末は、図１及び図２に示すように、液晶等のディスプレイパネル３が配置された第１の筐体１と、複数のキー（押下操作子）等からなるキー操作部５が配された第２の筐体２とが、上記ディスプレイパネル３若しくはキー操作部５の設けられた表面（主面）に対して略々垂直となされた回転軸を備えたヒンジ機構（図示は省略する）を介して、相互に水平方向に回動自在となされた端末（以後、このような構成の端末を回転オープン型の端末と呼ぶ）である。すなわち、本発明実施形態の携帯電話端末は、ヒンジ機構のような連結部により、第１の筐体１と第２の筐体２間の相対的な位置関係が変更可能となされた端末である。なお、図１，図２に示す本実施形態の携帯電話端末は、第１の筐体１の長手方向の一方の端部近傍と第２の筐体２の長手方向の一方の端部近傍との間にヒンジ機構が配置され、図１には、当該ヒンジ機構を介して第１の筐体と第２の筐体を相対的に水平方向に回動させることにより第１の筐体１と第２の筐体が１８０度開いた状態（携帯電話端末を開いた状態、以下、開状態と呼ぶ）を示し、一方、図２には、第１の筐体１と第２の筐体が重なった状態（携帯電話端末を閉じた状態、以下、閉状態と呼ぶ）を示している。
【００１４】
第１の筐体１には、ディスプレイパネル３の他、後述するライト部６、スピーカ８、発信や着信の際に使用される発信キー、通話の終了や実行中のアプリケーションの終了，電源のオン／オフ等に用いられる終話／電源キー、電子メールの送受信やインターネット接続などの特別機能の操作に用いられるキー、入力した電話番号やメール編集時における文字のクリア（削除）に用いるキー、例えば文字の入力や変換、機能の選択などの際に用いられるディスク型ジョグダイヤル７等が設けられている。なお、これら第１の筐体１に設けられるディスプレイパネル３や各種キー、ディスク型ジョグダイヤル７等は、図２のように本実施形態の携帯電話端末が閉状態になされたときでも常に外側となる表面側に配置されている。また、各種キー、ディスク型ジョグダイヤル７は、第１の筐体１の上記一方の端部近傍に配されている。
【００１５】
ディスプレイパネル３は、文字や画像、地図等の各種情報を表示するための液晶ディスプレイパネル或いはＥＬディスプレイパネルからなる。スピーカ８は、上記第１の筐体１の上記ヒンジ機構が設けられている端部とは反対側端部近傍に設けられており、通話音声信号を可聴音声に変換して出力する。なお、着信音や音楽再生用のスピーカは別途内蔵されている。
【００１６】
ディスク型ジョグダイヤル７は、回転ダイヤル（回転操作子）と十字キー（方向指示操作子）とプッシュボタン（押下操作子）とが一体化された操作デバイスである。回転ダイヤルは、当該ディスク型ジョグダイヤル７の最外周部に設けられ、第１の筐体１のディスプレイ面に対して略々垂直となされている回転軸を中心にして回動自在に構成されていると共に、内部にホール素子（図示は省略）などの回転検出機構を備えている。十字キーは、上記回転ダイヤルの内周側に環形状にて形成されると共に、その内部に、例えば弾性変形可能な傾倒部材（図示は省略）と、少なくとも上，下，左，右方向への傾倒操作を検出可能な四つのスイッチ等からなる傾倒方向検出機構（図示は省略）とを有して構成されている。プッシュボタンは、当該ディスク型ジョグダイヤル７の中心部に設けられており、第１の筐体１のディスプレイ設置面に対して略々垂直方向への押下操作を検出する押下スイッチ機構を備えて構成されている。
【００１７】
第２の筐体２には、電話番号や文字等の入力に使用される「０」キー〜「９」キーのテンキーと「＊」キー及び「＃」キーとからなる１２キーを含む各種のキー操作部５の他、図示しないマイクロホンなどが設けられている。また、当該第２の筐体２内には、後述する主要な回路構成が設けられている。
【００１８】
マイクロホンは、通話音を電気信号に変換するものであり、本実施形態の携帯電話端末ではヒンジ機構近傍に設けられている。なお、本実施形態において、マイクロホンをヒンジ機構の近傍に設けているのは、当該携帯電話端末が閉状態の時に、第２の筐体２上のマイクロホンと第１の筐体１上のスピーカ８の配置が重なってしまわないようにすることで、当該閉状態と開状態のいずれの状態であっても通話ができるようにするためである。
【００１９】
その他、図示は省略しているが、本実施形態の携帯電話端末は、現在の状態が開状態であるのか、或いはそれ以外の状態（閉状態を含む）であるのかを検知可能な例えばスイッチ等からなる開閉検知部を備えている。
【００２０】
ここで、本実施形態の携帯電話端末は、図１，図２に示すように、上記第１の筐体１の長手方向の両端部のうち、上記ヒンジ機構が設けられている側の端部側面に、例えばＬＥＤ（発光ダイオード）を備えたライト部６が設けられている。
【００２１】
当該ライト部６は、例えば着信があったときにその旨を使用者に対して視覚的に知らせるための着信ランプとしての機能を有する。また、本実施形態の携帯電話端末において、ライト部６は、例えば、図１に示すように当該携帯電話端末が開状態となっているときに、第２の筐体２のキー操作部５上（図１中の一点鎖線と斜線にて示される照光範囲１０）を照明するキー操作部照明用光源としての機能と、図２に示すように携帯電話端末が閉状態となされているときに、例えば第１の筐体１の側面上に設けられている所定の操作子（図示は省略する。以下、ライトスイッチと呼ぶ。）の操作に応じて発光して所望の範囲（図２中の一点鎖線と斜線にて示される照光範囲１１）を照明するいわゆる懐中電灯としての機能をも備えている。
【００２２】
〔ライト部の詳細な構成〕
図３には、ライト部６の構成例を示す。
【００２３】
図３において、ライト部６は、発光デバイスである例えば二つのＬＥＤ素子２１，２１と、それらＬＥＤ素子２１，２１の光出射側に各々設けられ、上記ＬＥＤ素子２１，２１から出射された光の方向を所定の方向に導くための導光部２４，２４と、上記導光部２４，２４にて導かれた上記ＬＥＤ素子２１，２１からの光を所定の出射角度範囲（図１の照光範囲１０や図２の照光範囲１１）内で拡散させる拡散部２３とから構成されている。
【００２４】
すなわち本実施形態において、上記二つのＬＥＤ素子２１，２１は、回路基板２０に接続されており、後述するパワーマネージメントＩＣとライト駆動部を介してバッテリから供給される電力により発光する。当該ＬＥＤ２１，２１から出射された光は、図３の一部を拡大した図４に示すような形状を備えた導光部２４，２４に入射する。当該導光部２４，２４は、図４に示すように、ＬＥＤ素子２１，２１の発光点２５から出射された光を、図４中一点鎖線で示す方向へ導く。拡散部２３は、導光部２４，２４から出射された光を拡散しつつ、図１の照光範囲１０や図２の照光範囲１１に示す角度範囲内へ出射させる。
【００２５】
本実施形態の携帯電話端末においては、上述したような構成のライト部６を第１の筐体１の上記ヒンジ機構側端部側面に備えていることにより、例えば、図１に示すように当該携帯電話端末が開状態となっているときに、第２の筐体２のキー操作部５上（図１の照光範囲１０）を照明することができ、一方、当該携帯電話端末が閉状態となされているときに、図２の照光範囲１１を照明する懐中電灯として使用することができる。
【００２６】
また、本実施形態においては、ライト部６のＬＥＤ素子２１，２１の光出射側に、図４に示すような形状を有する導光部２４，２４が設けられていることにより、上記ＬＥＤ素子２１，２１から出射された光を、無駄なく、より遠くへ到達させることができるようになっている。
【００２７】
さらに、本実施形態のライト部６では、ＬＥＤ素子２１，２１による点発光を、導光部２４，２４や拡散部２３により面発光（或いは線発光）に変換しているため、キー操作部５の全体を略々均一に照明することが可能となっている。
【００２８】
〔ライト部の機能切り替え制御〕
また、本実施形態の携帯電話端末は、開状態となっている場合と閉状態となっている場合とで、上記ライト部６の機能を自動的に切り替え可能となされている。すなわち、本実施形態の携帯電話端末は、例えば図２に示したように閉状態となされている時には、ライト部６を第１の筐体１上の所定操作子の操作に応じて発光させることにより懐中電灯として機能するようにし、一方、例えば開状態となされた時には、第２の筐体２のキー操作部５上を照明するキー操作部照明用光源として機能するように、当該携帯電話端末の開閉状態に応じて、ライト部６の機能を切り替え可能となされている。
【００２９】
図５には、上述したようなライト部６の機能自動切り替えを可能とする本実施形態の携帯電話端末の概略的な内部構成を示す。
【００３０】
アンテナ６２は、例えば内蔵アンテナであり通話やパケット通信のための信号電波の送受信を行う。通信回路６３は、送受信信号の周波数変換、変調と復調等を行う。なお、パケット通信により送受信されるデータは、画像データや電子メール、プログラムデータ、その他の各種データである。
【００３１】
受信された通話音声のデータは、データラインを介して制御部６１へ送られる。制御部６１は、ＣＰＵ（中央処理装置）からなり、通話音声データを復号化し、その復号化後の音声データをデータラインを介してスピーカ６９へ送る。
【００３２】
スピーカ６９は、前述した受話用のスピーカ８やリンガ用のスピーカに相当し、ディジタル／アナログ変換器と増幅器を含み、通話音声やリンガ音のデータをディジタル／アナログ変換及び増幅した後、出力する。これにより、通話音声やリンガ音が得られることになる。
【００３３】
マイクロホン７０は、送話用のマイクロホンに相当し、アナログ／ディジタル変換器と増幅器を含む。このマイクロホン７０を介して入力された通話音声信号は、増幅器により所定のレベルに増幅された後、アナログ／ディジタル変換器によりディジタル音声データに変換され、データラインを介して制御部６１へ送られて符号化された後、通信回路６３へ送られる。
【００３４】
カメラ部７１は、光学レンズや撮像素子等からなり、制御部６１による制御の元で静止画や動画の撮影を行う。
【００３５】
表示制御部６６は、第１の筐体１のディスプレイ３である表示部６５の表示を制御する。
【００３６】
操作部６７は、第２の筐体２に設けられているキー操作部５や第１の筐体１に設けられている各種キーとディスク型ジョグダイヤル７、本実施形態のライト部６を懐中電灯として使用する際に操作されるライトスイッチ６８と、それらの操作に応じた操作信号を発生する操作信号発生部を有している。
【００３７】
開閉検知部７２は、本実施形態の携帯電話端末の現在の状態が開状態であるのか、或いはそれ以外の状態（閉状態を含む）であるのかを検知可能な例えばスイッチ等からなり、その開閉検知情報は制御部６１へ送られる。
【００３８】
バッテリ７６は、例えば着脱可能な二次電池であり、パワーマネージメントＩＣ７５は、バッテリ７６からの電力を各部へ供給する。
【００３９】
ライト部７３は、上述した本実施形態のライト部６に対応する。ライト駆動部７４は、制御部６１からの制御の元で、パワーマネージメントＩＣ７５を介してバッテリ７６から供給される電力をライト部７３のＬＥＤ素子２１に送ることにより、当該ライト部７３のＬＥＤ素子２１を発光駆動させる。
【００４０】
メモリ６４は、ＲＯＭ（Read Only Memory）とＲＡＭ（Random Access Memory）を含む。ＲＯＭは、制御部６１が各部を制御するための制御プログラムや各種の初期設定値、フォントデータ、辞書データ、本実施形態におけるライト部７３の機能切り替え制御を行うためのプログラムコード、電子メールの作成や編集等を行うためのアプリケーション用のプログラムコード、画像に対して様々な処理を行うためのアプリケーション用プログラムコード、その他、携帯電話端末に搭載される各種のアプリケーション用のプログラムコード、当該携帯電話端末の識別情報（ＩＤ）などを記憶している。このＲＯＭは、ＥＥＰＲＯＭ（Electrically Erasable Programmable Read-Only Memory）のような書き換え可能なＲＯＭを含み、電子メールデータ、ユーザにより設定される電話帳や電子メールアドレス、カメラ部により撮影された写真画像データ、ダウンロードされた写真データや着信音データ、文字データや予測変換の候補単語の登録データや予測変換の学習データ、その他、各種のユーザ設定値等を保存することも可能となされている。ＲＡＭは、制御部６１が各種のデータ処理を行う際の作業領域として、随時データを格納する。
【００４１】
制御部６１は、上述した通話音声データの符号化や復号化の他、制御ラインを介して当該携帯電話端末の各構成要素の制御等、各種の演算処理を行う。
【００４２】
また、本実施形態の場合、制御部６１は、上記開閉検知部７２からの開閉検知情報により、当該携帯電話端末の現在の状態が開状態か或いはそれ以外の状態かを認識し、その認識結果に基づいてライト駆動部７４を制御することにより、ライト部７３の機能切り替えを行う。すなわち、制御部６１は、開閉検知部７２からの開閉検知情報により、当該携帯電話端末が図１で示したような開状態となっているときには、ライト駆動部７４を制御してライト部７３を発光させることにより、当該ライト部７３が第２の筐体２のキー操作部５上（図１の照光範囲１０）を照明するキー操作部照明用光源として機能するように切り替え制御する。また、制御部６１は、携帯電話端末が図２に示したような閉状態となされている場合には、操作部６７のライトスイッチ６８からライトオンを示す操作信号が得られたときに、上記ライト駆動部７４を制御してライト部７３を発光させ、一方、ライトスイッチ６８からライトオンを示す操作信号が得られていないとき（或いは、ライトオフを示す操作信号が得られたとき）に、上記ライト駆動部７４を制御してライト部７３を消灯させることにより、当該ライト部７３を懐中電灯として機能させるような切り替え制御を行う。
【００４３】
その他、図５には図示を省略しているが、本実施形態の携帯電話端末は、音楽の録音や再生、動画像の録画や再生を行うための記録再生部、ブラウザ機能、外部ケーブル用コネクタ、外部リモートコントローラの接続コネクタ、携帯電話端末の現在位置を検出するための測位デバイスであるＧＰＳ（Global Positioning System）通信部とそのアンテナなどを備えている。
【００４４】
〔まとめ〕
以上説明したように、本実施形態の携帯電話端末は、開状態のときに第２の筐体２のキー操作部５上を照明するライト部６（７３）を第１の筐体１上に備えていること、言い換えると、キー操作部５の各キーを第２の筐体２の内部からそれぞれ照明するための光源を必要としていないことにより、それらキー操作部５の各キーをそれぞれ内部から照明するための光源用の発光デバイスの部品を無くして、低コスト化と省電力化を実現している。
【００４５】
また、本実施形態の携帯電話端末によれば、ライト部６（７３）は、キー操作部５の照明機能のみならず、着信報知と懐中電灯の機能を兼用しているため、それら光源を別個に設ける場合よりも部品点数を削減でき、コストダウンが可能となっている。
【００４６】
さらに、本実施形態の携帯電話端末によれば、キー操作部５を構成する各キーは、第２の筐体２内部から照明されるものではなくなるため、従来のような半透明部材を用いる必要がなく、したがって、キー操作部５の各キーには様々な素材やデザインのものを採用することができるようになり、他社の端末との差別化が可能となる。すなわち本実施形態の場合、キー操作部５の各キーには、様々な素材や様々な色、質感の素材からなる部品を用いることができ、また各キーに様々なデザインを採用することが可能になり、その結果、他社製品とはことなる独特のテイストを演出できるようになる。特に、キー操作部５の各キーに蛍光部材や蓄光部材などを用いれば、他社製品とは全く異なる独特のテイストを演出できるようになる。また、キー操作部５の各キーに例えば蓄光部材を用いた場合、当該携帯電話端末が例えば開状態となってから所定時間だけライト部６（７３）を点灯させ、その後ライト部６を消灯するようなことを行った場合、各キーは蓄えた光により自ら発光することになり、素材やデザインによる他社製品との差別化だけでなく、更なる省電力化も可能となる。なお、キー操作部５の各キーは、キートップ面をライト部６側方向に低く傾斜させた構造を有していても良い。
【００４７】
また、本実施形態の携帯電話端末によれば、ライト部６は面発光（或いは線発光）するようになされているため、デザイン的なバリエーションの増やすことができる。
【００４８】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。例えば、本発明の携帯型電子装置は、携帯電話端末だけでなく、ＰＤＡ装置（PDA：Personal Digital Assistants）等にも適用可能である。
【００４９】
また、本実施形態は、上述の実施形態のような回転オープン型の装置だけでなく、第１の筐体と第２の筐体とがディスプレイ面若しくは操作部の表面に対して略々並行な回転軸を備えたヒンジ機構を介して相互に回転することにより、それら第１，第２の筐体が互いに折り重なるように二つ折り可能となされたいわゆる折り畳み型の装置や、第１の筐体と第２の筐体が水平方向で且つ直線的に相互にスライドするいわゆるスライド型の装置にも適用可能である。
【図面の簡単な説明】
【００５０】
【図１】本発明実施形態の携帯電話端末が開状態となされ、第１の筐体のライト部により第２の筐体上のキー操作部が照明されている様子を示す外観図である。
【図２】本発明実施形態の携帯電話端末が閉状態となされ、第１の筐体のライト部が懐中電灯として機能している様子を示す外観図である。
【図３】ライト部の詳細な構成を示す図である。
【図４】導光部の機能説明に用いる図である。
【図５】本発明実施形態のライト部を搭載した携帯電話端末の内部構成を示すブロック図である。
【符号の説明】
【００５１】
１  第１の筐体、２  第２の筐体、３  ディスプレイ、５  キー操作部、６，７３  ライト部、７  ディスク型ジョグダイヤル、８，６９  スピーカ、１０，１１  照光範囲、２０  回路基板、２１，２１  ＬＥＤ素子、２３  拡散部、２４，２４  導光部、２５  ＬＥＤ素子の発光点、６１  制御部、６２  アンテナ、６３  通信回路、６４  メモリ、６５  表示部、６６  表示制御部、６７  操作部、６８  ライトスイッチ、７０  マイクロホン、７１  カメラ部、７２  開閉検知部、７４  ライト駆動部、７５  パワーマネージメントＩＣ、７６  バッテリ
【図１】
2006005410.tif 000003
【図２】
2006005410.tif 000004
【図３】
2006005410.tif 000005
【図４】
2006005410.tif 000006
【図５】
2006005410.tif 000007